(57)【要約】【課題】例えば衣服のベルト通しなどの被装着部材への着脱が簡単かつ容易に行なえ、しかも被装着部材への装着に伴い、不用意に被装着部材から外れることのない装身具を提供する。【解決手段】前面側壁部とこの前面側壁部に対して所定間隔開けて対向する背面側壁部と、これら前面側壁部と背面側壁部の両端部を連結する左右側壁部とから構成される筒状本体が備えられ、前記左右側壁部のいずれか一方の側壁部における前記背面側壁部との境界には、筒状本体の長さ方向両端開口および筒状本体の内部に連通するスリット状の装着用開口部が設けられ、前記筒状本体内には、紐状の被装着部材を前記前面側壁部とで弾性的に挟持するための弾性挟持体が、筒状本体内における長さ方向両端部にそれぞれ設けられるとともに、この弾性挟持体は湾曲状に変形し、その長さ方向一端部が、前記装着用開口部が設けられた側壁部の遊端に弾性的に接触している。【選択図】図１
2010142391.tif 000002
【特許請求の範囲】
【請求項１】
前面側壁部とこの前面側壁部に対して所定間隔開けて対向する背面側壁部と、これら前面側壁部と背面側壁部の両端部を連結する左右側壁部とから構成される筒状本体が備えられ、前記左右側壁部のいずれか一方の側壁部における前記背面側壁部との境界には、前記筒状本体の長さ方向両端開口および前記筒状本体の内部に連通するスリット状の装着用開口部が設けられ、前記筒状本体内には、紐状の被装着部材を前記前面側壁部とで弾性的に挟持するための弾性挟持体が設けられていることを特徴とする装身具。
【請求項２】
前記弾性挟持体が、前記筒状本体内における長さ方向両端部にそれぞれ設けられていることを特徴とする請求項１に記載の装身具。
【請求項３】
前記弾性挟持体が、湾曲状に変形し、その長さ方向一端部が、前記装着用開口部が設けられた側壁部の遊端に弾性的に接触していることを特徴とする請求項１または２に記載の装身具。
【請求項４】
前記前面側側壁部には装飾が施されていることを特徴とする請求項１、２または３に記載の装身具。
【発明の詳細な説明】
【技術分野】
【０００１】
本発明は、衣服のベルト通しなどのような紐状部材に取り付けられる装身具に関するものである。
【背景技術】
【０００２】
本願発明者は、衣服のベルト通しなどのような紐状部材に取り付けられる装身具として、前面側壁部とこの前面側壁部に対して所定間隔開けて対向する背面側壁部とこれら前面側壁部と背面側壁部の両端部を連結する左右側壁部とから構成される筒状本体が備えられ、前記した背面側壁部には、筒状本体の長さ方向に延びる装着用開口部が形成されたものを既に提案している（特許文献１参照）。
【０００３】
しかしながら以上の装身具では、装着用開口部が筒状本体の背面側壁部に設けられていることから、この装身具を例えばベルト通しに取り付ける場合、ベルト通しのベルト挿通部分をつまんで、ベルト通しの厚み面を筒状本体の背面側壁部に設けた装着用開口部に対向させねばならず、ベルト通しと装着用開口部とを一致させ難いので、ベルト通しを装着用開口部にスムーズに出し入れし難い不具合があり、筒状本体のベルト通しへの装着に手間を要する。
【０００４】
しかも以上の装身具では、筒状本体内に挿入したベルト通しが、装着用開口部の外部に抜け外れ易く、装身具がベルト通しから不用意に外れる不具合もある。
【特許文献１】特願２００５−２５６０２４号公報
【発明の開示】
【発明が解決しようとする課題】
【０００５】
本発明は、以上の実情に鑑みて開発されたものであって、その目的とするところは、例えば衣服のベルト通しなどの被装着部材への着脱が簡単かつ容易に行なえ、しかも被装着部材への装着に伴い、不用意に被装着部材から外れることのない装身具を提供することにある。
【課題を解決するための手段】
【０００６】
請求項１記載の発明は、前面側壁部とこの前面側壁部に対して所定間隔開けて対向する背面側壁部と、これら前面側壁部と背面側壁部の両端部を連結する左右側壁部とから構成される筒状本体が備えられ、前記左右側壁部のいずれか一方の側壁部における前記背面側壁部との境界には、前記筒状本体の長さ方向両端開口および前記筒状本体の内部に連通するスリット状の装着用開口部が設けられ、前記筒状本体内には、紐状の被装着部材を前記前面側壁部とで弾性的に挟持するための弾性挟持体が設けられていることを特徴とする。
【０００７】
請求項２に記載の発明は、請求項１に記載の弾性挟持体が、前記筒状本体内における長さ方向両端部にそれぞれ設けられていることを特徴とする。
【０００８】
請求項３に記載の発明は、請求項１または２に記載の弾性挟持体が湾曲状に変形し、その長さ方向一端部が、前記装着用開口部が設けられた側壁部の遊端に弾性的に接触していることを特徴とする。
請求項４に記載の発明は、請求項１、２または３に記載の前記前面側側壁部には装飾が施されていることを特徴とする。
【発明の効果】
【０００９】
請求項１記載の発明によれば、筒状本体の側面に装着用開口部が形成されているので、筒状本体を側方に移動させるだけで、装着用開口部を介して紐状の被装着部材に簡単に装着することができるし、また弾性挟持体と筒状本体の前面側壁部とで被装着部材を弾性的に挟持することが出来るので、装身具を被装着部材に確実に取り付けることができて、不用意に被装着部材から外れるようなことがない。
【００１０】
請求項２に記載の発明よれば、弾性挟持体が、前記筒状本体内における長さ方向両端部にそれぞれ設けられていることから、筒状本体の長さ方向両端部において一対の弾性挟持片と筒状本体の前面側壁部とで被装着部材をより一層確実に挟持して、装身具を被装着部材に確実に取り付けることが出来る。
【００１１】
請求項３に記載の発明によれば、弾性挟持体が湾曲状に変形し、その長さ方向一端部が、前記装着用開口部が設けられた側壁部の遊端に弾性的に接触していることから、被装着部が、弾性挟持体と前面側壁部との間から不用意に離脱しても、筒状本体の外部に不用意に抜け外れることがない。
【００１２】
請求項４に記載の発明によれば、筒状本体の前面に装飾が施されているので、請求項１、２または３に記載の発明の効果に加え、筒状本体を被装着部に取り付けるだけで、非装着部を装飾によって効果的に装飾することができ、例えば衣服の雰囲気を簡単に変化させることができる。
【発明を実施するための最良の形態】
【００１３】
以下、本発明にかかる装身具の第１の実施形態について詳細に説明する。
【００１４】
先ず図１は、本発明にかかる装身具の第１の実施形態を示す斜視図、
図２は、図１に示す装身具に用いられている弾性挟持体の斜視図、
図３は、図１に示す装身具の使用例を示す説明図、
図４は、図１に示す装身具の装着過程を示す断面図、
図５は、図１に示す装身具の装着過程を示す断面図である。
【００１５】
図１〜図５において符号１で示す装身具は、紐状の被装着部材としてのベルト通しBに装着するためのものであって、この装身具１は、平面視略角筒状に形成された金属製の筒状本体２と、バネ板から形成された後記する弾性挟持体３とから構成されている。
【００１６】
筒状本体２は、前面側壁部２１と、この前面側壁部２１に対して所定間隔開けて対向する背面側壁部２２と、これら前面側壁部２１と背面側壁部２２の幅方向両端を連結する左側壁部２３及び右側壁部２４とから構成され、その上下両端が開口する略角筒状に形成されている。
【００１７】
前面側側壁部２１の外面には、模様からなる装飾４が彫られている。
【００１８】
筒状本体２は、ベルト通しBのベルト挿通部位の長さと略同じ長さに形成されており、 また筒状本体２の内部Ｓの幅は、図５にも示すように、衣服のベルト通しBの幅よりも若干広く形成されている。
【００１９】
そして以上の筒状本体２において、前記した右側壁部２４における前記背面側壁部２２との境界には、筒状本体２の長さ方向両端開口および筒状本体２の内部Ｓに連通するスリット状の装着用開口部５が設けられている。
【００２０】
なお右側壁部２４の遊端縁は、図５にも示すように円弧面２４ａに形成している。
【００２１】
ところで、装身具１の製造方法としては、特に限定されないが、実施形態では、筒状本体２は鋳造により形成し、前面側側壁部２１に形成されている装飾４は、レーザービームにより形成している。
【００２２】
一方、弾性挟持体３は、図１にも示すように、前述の筒状本体２に組み込まれて、ベルト通しＢを筒状本体２の前面側壁部２１とで弾性的に挟持するものであって、この弾性挟持体３は、筒状本体２内における長さ方向両端部にそれぞれ配置される一組の短冊状の弾性挟持片３１ａ・３１ｂと、これら弾性挟持片３１ａ・３１ｂを連結する帯状の連結片３２から構成されている。
【００２３】
弾性挟持片３１ａ・３１ｂは、図２にも示すように、連結片３２の長さ方向両端部から湾曲状に延びている。
【００２４】
以上の弾性挟持体３は、図１にも示すように、連結片３２を背面側壁部２２の外面で且つ右側壁部２４と隣接する部位に溶接により固定するとともに、この連結片３２から延びる弾性挟持片３１ａ・３１ｂを、装着用開口部５から筒状本体２の内部に配置している。
【００２５】
また図４にも示すように、筒状本体２の内部に配置されている弾性挟持片３１ａ・３１ｂは、その基端部を右側壁部２４の遊端縁の円弧面２４ａに弾性的に接触させ、また長さ方向中間部を前面側壁部２１の内側面に弾性的に接触させている。
【００２６】
次に、以上の構成からなる装身具１を衣服のベルト通しＢに取り付ける取り付け手順について説明する。
【００２７】
まず、筒状本体２の背面側壁部２２を衣服に沿わせて装着用開口部５をベルト通しＢの側方に配置する。
【００２８】
次に、図４に示すように、ベルト通しＢの幅方向一端を装着用開口部５にあてがい、この状態から装身具１を図４において矢印Ｘ方向に移動させて、ベルト通しＢを筒状本体２内に挿入するとともに、図５に示すように、このベルト通しを弾性挟持片３１ａ・３１ｂと前面側壁部２１とで弾性的に挟持することで、衣服Ｗのベルト通しＢに装身具１を取り付けるのである。
【００２９】
以上の装身具１によれば、筒状本体２の側面に装着用開口部５が形成されているので、筒状本体２を被服に沿ってスライドさせるだけで、装着用開口部５を介して、衣服のベルト通しＢに簡単に装着することができる。
【００３０】
また右側壁部２３の遊端が円弧面２４ａに形成されているので、ベルト通しＢが装着用開口部５を通過するに際して、ベルト通しＢは、前記した円弧面２４ａとこの円弧面２４ａに弾接している弾性挟持片３１ａ・３１ｂとの間をスムーズに通過することが出来る。
【００３１】
また弾性挟持片３１ａ・３１ｂと前面側壁部２１とでベルト通しＢを弾性的に挟持するので、装身具１は、ベルト通しＢに確実に取り付けられて、不用意にベルト通しＢから外れるようなことがない。
【００３２】
しかも弾性挟持片３１ａ・３１ｂの長さ方向一端部が、装着用開口部５が設けられた右側壁部２４の遊端に弾性的に接触していることから、ベルト通しＢが、弾性挟持片３１ａ・３１ｂと前面側壁部２１との間から不用意に離脱しても、筒状本体２の外部に不用意に抜け外れることがない。
【００３３】
また、筒状本体２の前面に装飾４が施されているので、ベルト通しＢの前面が装飾４によって装飾されて、衣服Ｗの雰囲気を変化させることができる。
【００３４】
次に、本発明にかかる装身具の他の実施形態を説明する。
【００３５】
なお、上記の第１の実施形態と同一の構成部分については、同一の符号を表記して、詳細な説明は省略するものとする。
【００３６】
図６から図８に示す装身具１は、筒状本体２を構成する背面側壁部２２を前面側壁部２１、左右側壁部２３・２４とは別体に形成している。
【００３７】
背面側側壁部２２の幅方向一端部には、後記のビス６の挿通孔２２ａを設けるとともに、左側壁部２３の遊端には、ビス６が螺合可能な螺子孔２３ａを設けている。
【００３８】
一方、弾性挟持体３の連結片３２にもビス６の挿通孔３２ａを設けている。
【００３９】
以上の装身具１は、連結片３２を背面側壁部２２と左側壁部２３とで挟んだ状態からビス６を挿通孔２２ａ・３２ａに挿通するとともにその挿通端部を螺子孔２３ａに螺締することで、弾性挟持片３１ａ・３１ｂを筒状本体２の内部に配置した状態で、左側壁部２３に弾性挟持体と背面側壁部を組み付けている。
【００４０】
また弾性挟持片３１ａ・３１ｂの遊端部をカールさせている。
【００４１】
以上の第２の実施形態の装身具１によれば、前記した図１〜図５に示す装身具の作用効果に加えて、弾性挟持体３の交換が可能となる。
【００４２】
なお、前記した各実施形態の装身具１では、装飾４が筒状本体２の前面側壁部２１の外面に刻設されているが、装飾４は、装身具１をベルト通しＢに装着した時に、外部から装飾４を視認できる箇所に設けられていればよい。したがって、装飾４は、筒状本体２の前面側壁部２１を含んで設けられていることが好ましいが、筒状本体２の左右側壁部２３，２４の外面のいずれか一方だけに設けられてもよい。
【００４３】
また、装身具１は、金属製に限られず、所定の形状に成形可能で、衣服Ｗのベルト通しＢに装着できる適度な硬さを備えている材料であれば、合成樹脂製でもよい。
【００４４】
合成樹脂製とすれば、材料コストが低くしかも射出成形等によって大量生産できるので、廉価に大量に供給可能となるし、軽量で取り扱いやすくなる。
【００４５】
また装飾４は、筒状本体２に凹状に刻まれた装飾模様に限られず、例えば、筒状本体２の前面に凸状に隆起させた装飾模様であってもよいし、筒状本体２の表面に、他の装飾材料、例えば、真珠、輝石、ガラス玉などを配設したものでも構わないし、あるいは装飾４が表面に例えば模様を刻設した金属板から別途形成し、板材から形成された装飾４が磁性体の吸着力によって筒状本体２に対して着脱可能に取り付けられるようにしてもよい。
【００４６】
また以上の各実施形態では、弾性挟持体３を構成する帯状の連結片３２の長さ方向両端部に一組の短冊状の弾性挟持片３１ａ・３１ｂを設けたが、これに限定されるものではなく、例えば帯状の連結片３２に３本の弾性挟持片を設けるようにしてもよい。
【００４７】
また以上の各実施形態では、筒状本体２の内部に配置されている弾性挟持片３１ａ・３１ｂを右側壁部２４の遊端縁の円弧面２４ａに弾性的に接触させたが、これに限定されるものではなく、弾性挟持片３１ａ・３１ｂを右側壁部２４の遊端縁の円弧面２４ａに対して隙間を開けて配設してもよい。
【図面の簡単な説明】
【００４８】
【図１】本発明にかかる第１の実施形態の装身具の斜視図。
【図２】図１に示す装身具に用いられている弾性挟持体の斜視図。
【図３】図１に示す装身具の使用例を示す説明図。
【図４】図１に示す装身具の装着過程を示す説明図。
【図５】図１に示す装身具の装着過程を示す説明図。
【図６】本発明にかかる第２の実施形態の装身具の斜視図。
【図７】図６に示す装身具に用いられている弾性挟持体の斜視図。
【図８】図６に示す装身具の断面図。
【符号の説明】
【００４９】
１      装身具
２      筒状本体
２１    前面側壁部
２２    背面側壁部
２３    左側壁部
２４    右側壁部
２４ａ  円弧面
３      弾性挟持体
３１ａ  弾性挟持片
３１ｂ  弾性挟持片
３２    連結片
４      装飾
５      装着用開口部
Ｂ      ベルト通し
【図１】
2010142391.tif 000003
【図２】
2010142391.tif 000004
【図３】
2010142391.tif 000005
【図４】
2010142391.tif 000006
【図５】
2010142391.tif 000007
【図６】
2010142391.tif 000008
【図７】
2010142391.tif 000009
【図８】
2010142391.tif 000010